【事件の表示】
　特願２００４−３４０９９３「時変型スペクトルの分解能の向上のための分光成分の分析方法及びその装置」拒絶査定不服審判事件〔平成１７年　６月２３日出願公開、特開２００５−１６４５８９〕について、次のとおり審決する。
【結　論】
　本件審判の請求は、成り立たない。
【理　由】
１．手続の経緯
　本願は，平成１６年１１月２５日（パリ条約による優先権主張２００３年１１月２８日　大韓民国）の出願であって，平成１８年１２月６日付けで拒絶査定がされ，これに対し，平成１９年３月１２日に拒絶査定不服審判の請求がされるとともに，同年３月１５日付けで手続補正がされたものである。
　
２．平成１９年３月１５日付けの手続補正についての補正の却下の決定
　
　［補正却下の決定の結論］
　　平成１９年３月１５日付けの手続補正を却下する。
　
　［理由］
２−１．補正後の本願発明
　平成１９年３月１５日付けの手続補正（以下，「本件補正」という。）は，特許請求の範囲を補正するものであって，そのうち請求項１についてする補正は，補正前（平成１８年１０月３１日付け手続補正書。以下同様）の特許請求の範囲の
「【請求項１】
　試料に光源を照射する段階と、
　前記試料を通過した光スペクトルを検出する段階と、
　前記検出されたスペクトルを任意の時間間隔で分割する段階と、
　前記分割されたスペクトルに加重値ベクトルと利得及びオフセットベクトルを適用して分解能ベクトルを生成する段階と、
　前記分解能ベクトルのアナログ信号をデジタル信号に量子化する段階と、
　前記量子化されたスペクトルに合成ベクトルを適用して前記光スペクトルのサイズに復元する段階と
　を備え、
　前記加重値ベクトルは、
　前記分割されたスペクトル中で当該スペクトルの分解能を増加させる関心領域を選定するものであり、
　前記利得及びオフセットベクトルは、
　前記当該関心領域のスペクトルを増幅して当該増幅をする装置のダイナミックレンジである動的活性領域で前記スペクトルのピークサイズを調節するものであり、
　前記分解能ベクトルは、
　　【数１】
　で表示され、
　ここで、利得及びオフセットベクトルＲは
　　【数２】
　で表示され、Ｈは前記利得を、そしてＧは前記オフセットを表し、ｖ（ｎ）は、前記スペクトルが任意の時間間隔で分割されたときの複数の分割領域のそれぞれを行列式で示す関心領域ベクトルを表し、ｋは、前記スペクトルが任意の時間間隔で分割されたときのその分割数を表し、
　前記合成ベクトルは、
　　【数３】
　で表し、Ｈは前記利得を、そしてＧは前記オフセットを表し、ｋは、前記スペクトルが任意の時間間隔で分割されたときのその分割数を表すことを特徴とする分光成分の分析方法。」を，
「【請求項１】
　試料に光源を照射する段階と、
　前記試料を通過した光スペクトルを検出する段階と、
　前記検出されたスペクトルを任意の時間間隔で
複数の波長帯域に
　前記分割されたスペクトルに加重値ベクトルと利得及びオフセットベクトルを適用して分解能ベクトルを生成する段階と、
　前記分解能ベクトルのアナログ信号をデジタル信号に量子化する段階と、
　前記量子化されたスペクトルに合成ベクトルを適用して前記光スペクトルのサイズに復元する段階と
　を備え、
　前記加重値ベクトルは、
　前記分割されたスペクトル中で当該スペクトルの分解能を増加させる
波長帯域である
　前記利得及びオフセットベクトルは、
　前記当該関心領域のスペクトルを増幅して当該増幅をする装置のダイナミックレンジである動的活性領域で前記スペクトルのピークサイズを調節するものであり、
　前記分解能ベクトルは、
　　【数１】
　で表示され、
　ここで、利得及びオフセットベクトルＲは
　　【数２】
　で表示され、Ｈは前記利得を、そしてＧは前記オフセットを表し、ｖ（ｎ）は、前記スペクトルが任意の時間間隔で分割されたときの複数の分割領域のそれぞれを行列式で示す関心領域ベクトルを表し、ｋは、前記スペクトルが任意の時間間隔で分割されたときのその分割数を表し、
　前記合成ベクトルは、
　　【数３】
　で表し、Ｈは前記利得を、そしてＧは前記オフセットを表し、ｋは、前記スペクトルが任意の時間間隔で分割されたときのその分割数を表すことを特徴とする分光成分の分析方法。」（下線部分は，補正箇所である。以下，補正後の請求項１に記載された発明を「本願補正発明」という。）と補正するものである。
　
　上記補正は，補正前の請求項１に記載した発明を特定するために必要な事項である「前記検出されたスペクトルを任意の時間間隔で分割する段階」について「
複数の波長帯域に
波長帯域である
　
　そこで，本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について検討する。
　
２−２．引用例
２−２−１．引用例１
　原査定の拒絶の理由に引用した，本願優先日前に頒布された刊行物である，特開昭６１−２６９４６３号公報（以下「引用例１」という。）には，図面とともに，次の事項が記載されている（下線は，当審にて付加した）。
　
（ａ）「〔発明の利用分野〕
　
本発明は画像媒体の画像ディジタル化装置などに好適な画像読取装置に関する
〔発明の背景〕
　一般に、
Ｘ線フィルムや画像蓄積板などの画像媒体上の画像を、拡散光濃度方式や平行光濃度方式などの濃度測定方式により読取る場合、広いダイナミックレンジを必要とし
　しかし濃度検出用のアンプは高々３桁程度のダイナミックレンジしかもっていないので、従来、ダイナミックレンジをいくつかに分割し、複数のアンプに分担増幅させた後、合成するという方法が採られてきた。
　このため信号処理のための回路構成が複雑で、かつアンプの各々について高い精度が要求され、コストが高くなるという問題点があった。
〔発明の目的〕
　本発明は上記のような問題点を解消するためになされたもので、構成簡単かつ安価にて高精度の画像読取が可能な画像読取装置を提供することを目的とする。
〔発明の概要〕
　本発明は、画像データ測定用とダイナミックレンジ測定用の２つの伝送・読取系を設け、
ダイナミックレンジ測定用伝送・読取系で予め読取った信号のダイナミックレンジから画像データ測定用伝送・読取系のビーム量又は読取感度を選択切換し、その後に、前記画像データ測定用伝送・読取系において共通のビーム量又は読取感度に選択して得たと同様の信号値なるようにビーム量又は読取感度補正をすることにより、単一のかつ狭いダイナミックレンジの読取系で広いダイナミックレンジの信号処理を可能とし
　
（ｂ）「〔発明の実施例〕
　以下図面を参照して本発明の実施例を説明する。
第１図は本発明による画像読取装置の一実施例を示すブロック図で、図中１はレーザ光源である
このレーザ光源１からの光ビーム２は
ビームスキャンミラー５で撮影済Ｘ線フィルム６面上の少し離れた位置をスキャンする
これらの光ビーム７ａ，７ｂの前記フィルム６の透過光は各々ライトガイド、曲面ミラーなどの集光光学系８ａ，８ｂによって光検出器９ａ，９ｂの各別に集光される
　この場合、フィルム送り方向（矢印イ）に対して、ダイナミックレンジ測定用光ビーム７ａが先にスキャンされるので、まず
ダイナミックレンジ測定用信号が光検出器９ａより出力され
ゲインを算出するためにゲイン計算回路１２に送られる
これにより算出されたゲインは、ゲイン値メモリ１３に記憶されると共に、後述データ遅延回路１４とでゲイン設定用回路を構成する。またデータ遅延回路１７とで補正タイミング設定用回路を構成する
記憶されたゲイン値は
同一位置を読取る時の画像データ測定用プリアンプ１０ｂのゲインをゲインセレクト回路１５で選択切替する
画像データ測定用プリアンプ１０ｂからの信号は、Ａ／Ｄ変換器１１ｂでディジタル化した後、ゲイン補正回路１６に送られ、光検出器９ｂの出力信号を前記プリアンプ１０ｂによって共通のゲインで増幅したと同様の信号値になるようにゲイン補正される
　
（ｃ）「ここで、前記ダイナミックレンジ測定用信号のダイナミックレンジと画像データ測定用信号に対するプリアンプ１０ｂのゲイン設定との関係を第２図に基づき説明する。ここでは、
広いダイナミックレンジの画像データ測定用信号を読取り、増幅するためにＬ１とＬ２の２つのゲイン切替レベルを設けて３つのダイナミックレンジを設定し、その各々のダイナミックレンジに入いる画像データ測定用信号を、ダイナミックレンジ測定用信号のダイナミックレンジＳｎから判断し、これにより画像データ測定用読取系のゲイン、ここではプリアンプ１０ｂのゲインを設定する
画像データ測定用信号のダイナミックレンジは、Ｌｍａｘ〜Ｌ１＝Ｌ１〜Ｌ２＝Ｌ２〜Ｌｍｉｎのとき、１／３に圧縮されたことになる
　第３図にダイナミックレンジ測定用信号Ｐｎとプリアンプ１０ｂの設定（選択）ゲインや画像データ測定用信号の増幅後の信号値などとの関係の具体例を示す。以下、この第３図に従って、上述本発明回路におけるプリアンプ１０ｂのゲイン設定及びゲイン補正動作について詳述する。まず、プリアンプ１０ａで増幅された（本実施例ではさらにＡ／Ｄ変換された）ダイナミックレンジ測定用信号Ｐｎに対し、切替レベルＬ１，Ｌ２において、第４図のフローチャートに示すような方法でゲイン計算する。即ちゲイン計算回路１２は、上記信号ＰｎのレベルＰｎと切替レベルＬ１，Ｌ２との関係が、Ｐｎ≧Ｌ１のときゲイン値Ｇ１と、Ｌ１＞Ｐｎ≧Ｌ２のときゲイン値Ｇ２と、Ｌ２＞Ｐｎのときゲイン値Ｇ３と、各々計算し、ゲイン値メモリ１３はそれらのゲイン値Ｇ１〜Ｇ３を記憶する。記憶されたゲイン値Ｇ１〜Ｇ３、例えばＧ１は、それを算出した元となる前記信号Ｐｎを得た光検出器９ａのフィルム６読取位置を光検出器９ｂが読取るとき、データ遅延回路１４を通し、位相合わせして読出し、ゲインセレクト回路１５を作動させて画像データ測定用プリアンプ１０ｂのゲインをＧ１に設定する。
　以上の動作が連続的に、又は一定時間間隔で繰返されるもので、これにより読取られた画像データ測定用信号はそのレベルに応じて増幅ゲインが最適に設定されるので、ダイナミックレンジの狭い読取系（光検出器９ｂ、プリアンプ１０ｂ、Ａ／Ｄ変換器１１ｂなど）の使用が可能である。」（第２頁右下欄第１８行目から第３頁左下欄第１７行目。）
　
（ｄ）「
上記画像データ測定用読取系を経た信号は、増幅ゲインが種々に変化しているので、これを元に戻す、即ちプリアンプ１０ｂにおいて共通のゲインで増幅したと同様の信号値になるようにプリアンプ１０ｂで増幅した際のゲイン値をメモリ１３から読出してゲイン補正回路１６に与える
　このゲイン補正回路１６の具体例を第５図に示す。ここでは、乗算器２１、割算器２２及びプリセットゲインデータ設定回路２３による構成例を示しており、前記Ａ／Ｄ変換器１１ｂからの画像データ測定用ディジタル信号の信号値をＳｎ・Ｇｎ、前記データ遅延回路１７からのゲイン値、換言すればゲイン設定値をＧｎ、プリセットゲインデータをＧ１とすると、乗算器２１からは次式（１）なる信号値の補正信号が出力される。
　Ｓｎ・Ｇｎ・Ｇ１／Ｇｎ＝Ｓｎ・Ｇ１　……（１）
　
即ち乗算器２１からは、前記プリアンプ１０ｂにおいて共通の（常にＧ１なる）ゲインで増幅したと同様の信号値の信号が出力され、ゲイン補正が行われたことになる
　このように、上述本発明回路は、画像データ測定用プリアンプ１０ｂのゲインを、前もって読取スキャンして得られたダイナミックレンジ測定用信号に基づいて設定し、切替えることにより、プリアンプ１０ｂを単一の、かつ狭いダイナミックレンジをもつものの使用を可能とし、その後に、ゲイン補正して元の広いダイナミックレンジの画像データ測定用の信号を得ようとするものである。従って、画像データ測定用読取系（光検出器９ｂ、プリアンプ１０ｂ、Ａ／Ｄ変換器１１ｂなど）の精度が高くなくとも、又、狭いダイナミックレンジであっても、広いダイナミックレンジの画像データ測定用信号を読取ることができ、換言すれば、
広いダイナミックレンジの画像データ測定用信号を高精度で読取ることができる
　
　以上の記載を総合すると，引用例１には，「フィルムに光ビームを照射し，
フィルムの透過光は光検出器９ａ，９ｂの各別に集光され，
ダイナミックレンジ測定用信号が光検出器９ａより出力され，ゲイン値が算出され，
同一位置を読取る時の光検出器９ｂの出力信号を増幅する画像データ測定用プリアンプ１０ｂのゲインを前記ゲイン値に応じて選択切替し，
画像データ測定用プリアンプ１０ｂからの信号をＡ／Ｄ変換器１１ｂでディジタル化し，
該ディジタル化した信号を共通のゲインで増幅したと同様の信号値になるようにゲイン補正する画像読み取り方法。」（以下，「引用発明」という。）が記載されているものと認められる。
　
２−２−２．引用例２
　本願優先日前に頒布された刊行物である，特開昭６１−１０５４３０号公報（以下「引用例２」という。）には，図面とともに，次の事項が記載されている（下線は，当審にて付加した）。
　
（ｅ）「イ．産業上の利用分野
　本発明は光検出素子としてホトダイオードのような自己増倍機能を持たない素子を用いた
分光光度計において、増幅回路の利得切換え機構
　ロ．従来の技術
　分光光度計で用いられる光検出素子は、光電子増倍管のようにそれ自身が増幅機能を持つ素子と、ホトダイオードのようにそれ自身は増幅機能がなく、別に増幅回路を必要とするものとに大別することができる。他方
分光光度計では光源の分光特性と分光器の分光透過特性によつて、分光器透過光のエネルギーは波長によつて大きく変化し、この変化するエネルギーに対してほゞ一定の大きさの信号が得られるようにするため
ホトダイオード等の増幅機能を持たない検出素子を用いたものでは
増幅器の利得を何段かに切換えられるようにして、離散的に測光系の感度を切換える
　
（ｆ）「ヘ．実施例
　第１図に本発明の一実施例を示す。１は光源、２は高次光カットフィルターで複数種のものが円周方向に配列されて回転によりフィルター交換が行われる。３は分光器、４は分光器出射光を二光束に分割するセクターミラー、５は参照試料、６は被測定試料、７は光検出素子、８はプリアンプで、同アンプにおいて利得が切換えられる。９はプリアンプ８の利得切換え抵抗群で、スイッチにより抵抗の組合せを変えて利得を切換える。１０は信号分離スイッチで、セクターミラー４の回転と同期して作動するアナログスイッチであり、参照信号をＡ／Ｄ変換器１１に、被測定試料信号をＡ／Ｄ変換器１２に振分ける。１３は割算器で被測定試料信号を参照信号で割算する。１４はフィルター交換及び利得切換え等を制御している制御部である。
　
制御部１４の利得切換え動作は次のように行われる。制御部１４は分光器３の波長走査を制御して波長を検知しており、所定波長位置で波長走査を停止してフィルター２の交換を行い、フィルター交換後のＡ／Ｄ変換器１１の出力即ち参照信号のデータ（Ｒとする）を読込み、Ｒが利得切換えの下限レベルＶｌより下にあれば利得を高い方に切換えＲが利得切換えの上限Ｖｈより上にあれば利得を低い方に切換え、その後波長走査を再開させる
　
２−３．対比
　本願補正発明と引用発明とを対比する。
（ア）引用発明の「フィルムに光ビームを照射」することは，対象物に光を照射し，対象物からの光学的な情報を取得するために行われるものであるから，本願補正発明の「試料に光源を照射する段階」に相当する。
（イ）引用発明の「フィルムの透過光は光検出器９ａ，９ｂの各別に集光され」ること，及び「光検出器９ｂの出力信号」から「画像データ測定」の信号が得られることについて，フィルムを透過した光を検出していることは明らかであり，この検出が光ビームのスキャンによって行われていることから，時間的に変化する信号を検出していることも明らかである。ここで，本願明細書の発明の詳細な説明【００１３】段落には「光源１１０から出た光は、試料１２０を通過して検出部１３０に伝えられる。検出部１４０は、光信号を電気的信号に変換する。電気的信号は、電流の変化で現れるが、この電流の変化を時間的に表したものをスペクトルという。」と記載されており，このことからすると，本願においては光検出器によって検出される信号の時間的変化をスペクトルと称している。してみると，上記引用発明の「フィルムの透過光は光検出器９ａ，９ｂの各別に集光され」ること，及び「光検出器９ｂの出力信号」から「画像データ測定」の信号が得られることは，本願補正発明の「前記試料を通過した光スペクトルを検出する段階」に相当する。
（ウ）引用発明において「ダイナミックレンジ測定用信号が光検出器９ａより出力され，ゲイン値が算出され，同一位置を読取る時の光検出器９ｂの出力信号を増幅する画像データ測定用プリアンプ１０ｂのゲインを前記ゲイン値に応じて選択切替」することについて，画像データ測定用プリアンプ１０ｂのゲインの設定は，ダイナミックレンジ測定用信号に応じて切替られるものであり，そのゲインの設定は，摘記事項（ｃ）に「広いダイナミックレンジの画像データ測定用信号を読取り、増幅するためにＬ１とＬ２の２つのゲイン切替レベルを設けて３つのダイナミックレンジを設定し、その各々のダイナミックレンジに入いる画像データ測定用信号を、ダイナミックレンジ測定用信号のダイナミックレンジＳｎから判断し、これにより画像データ測定用読取系のゲイン、ここではプリアンプ１０ｂのゲインを設定する」とあることからすると，任意に切替られることも明らかである。そして，そのようにゲインを切替ることは，光検出器９ｂの出力信号を，ゲインを切替る時間ごとに分割すると言えることからすると，上記引用発明の「ダイナミックレンジ測定用信号が光検出器９ａより出力され，ゲイン値が算出され，同一位置を読取る時の光検出器９ｂの出力信号を増幅する画像データ測定用プリアンプ１０ｂのゲインを前記ゲイン値に応じて選択切替」することは，本願補正発明の「前記検出されたスペクトルを任意の時間間隔で複数の波長帯域に分割する段階」と，「前記検出されたスペクトルを任意の時間間隔で複数に分割する段階」である点で共通する。
（エ）引用発明の「同一位置を読取る時の光検出器９ｂの出力信号を増幅する画像データ測定用プリアンプ１０ｂのゲインを前記ゲイン値に応じて選択切替」することは，上記（ウ）に示したように，光検出器９ｂの出力信号を分割し，その分割した信号ごとにゲインを選択切替するものであり，このゲインを選択切替することは，摘記事項（ｃ）によれば画像データ測定用信号のダイナミックレンジを圧縮するものであるから，画像データ測定用プリアンプ１０ｂの利得だけでなく，オフセットも設定していることは当業者には明らかである。そして，このように分割された信号に対してゲインを設定することで，摘記事項（ｄ）に「広いダイナミックレンジの画像データ測定用信号を高精度で読取ることができる」とあるように，高精度での読取りを可能とする，すなわち分解能を高めて信号検出が行えるようにするものである。してみると，上記引用発明の「同一位置を読取る時の光検出器９ｂの出力信号を増幅する画像データ測定用プリアンプ１０ｂのゲインを前記ゲイン値に応じて選択切替」することは，本願発明の「前記分割されたスペクトルに加重値ベクトルと利得及びオフセットベクトルを適用して分解能ベクトルを生成する段階」であって，「前記加重値ベクトルは、前記分割されたスペクトル中で当該スペクトルの分解能を増加させる波長帯域である関心領域を選定するものであり、前記利得及びオフセットベクトルは、前記当該関心領域のスペクトルを増幅して当該増幅をする装置のダイナミックレンジである動的活性領域で前記スペクトルのピークサイズを調節するものであ」ることと，「前記分割されたスペクトルに，分解能を増加させる分割領域について，当該領域のスペクトルを増幅して当該増幅をする装置のダイナミックレンジである動的活性領域で前記スペクトルのピークサイズを調節する利得及びオフセットを設定し，信号を生成する段階」である点で共通する。
（オ）引用発明の「画像データ測定用プリアンプ１０ｂからの信号をＡ／Ｄ変換器１１ｂでディジタル化」することは，上記（エ）で示した点を踏まえ，本願補正発明の「前記分解能ベクトルのアナログ信号をデジタル信号に量子化する段階」と，「前記信号をデジタル信号に量子化する段階」である点で共通する。
（カ）引用発明の「該ディジタル化した信号を共通のゲインで増幅したと同様の信号値になるようにゲイン補正する」ことは，摘記事項（ａ）に「前記画像データ測定用伝送・読取系において共通のビーム量又は読取感度に選択して得たと同様の信号値なるようにビーム量又は読取感度補正をする」と，また摘記事項（ｄ）に「上記画像データ測定用読取系を経た信号は、増幅ゲインが種々に変化しているので、これを元に戻す、即ちプリアンプ１０ｂにおいて共通のゲインで増幅したと同様の信号値になるようにプリアンプ１０ｂで増幅した際のゲイン値をメモリ１３から読出してゲイン補正回路１６に与える。・・・即ち乗算器２１からは、前記プリアンプ１０ｂにおいて共通の（常にＧ１なる）ゲインで増幅したと同様の信号値の信号が出力され、ゲイン補正が行われたことになる」と，それぞれ記載されるように，ゲインを選択切替したことによる信号値の変化を元に戻すことを行うものであるから，本願補正発明の「前記量子化されたスペクトルに合成ベクトルを適用して前記光スペクトルのサイズに復元する段階」と，「前記量子化されたスペクトルを前記光スペクトルのサイズに復元する段階」である点で共通する。
（キ）引用発明の「画像読み取り方法」は，対象物に光を照射し，対象物からの光学的な情報を取得する際の，信号処理に関するものであるから，本願補正発明の「分光成分の分析方法」と，「光検出の信号処理方法」である点で共通する。
　
　そうすると，本願補正発明と引用発明とは，
「試料に光源を照射する段階と、
　前記試料を通過した光スペクトルを検出する段階と、
　前記検出されたスペクトルを任意の時間間隔で複数に分割する段階と、
　前記分割されたスペクトルに，分解能を増加させる分割領域について，当該領域のスペクトルを増幅して当該増幅をする装置のダイナミックレンジである動的活性領域で前記スペクトルのピークサイズを調節する利得及びオフセットを設定し，信号を生成する段階と、
　前記信号をデジタル信号に量子化する段階と、
　前記量子化されたスペクトルを前記光スペクトルのサイズに復元する段階と
　を備える，光検出の信号処理方法。」
である点で一致しており，次の点で相違する。
　
（相違点１）本願補正発明ではスペクトルを複数に分割することを，「波長帯域に」分割しており，分割されたスペクトル中で当該スペクトルの分解能を増加させる関心領域が「波長帯域である」のに対し，引用発明では波長帯域に関して記載がない点。
　
（相違点２）本願補正発明では関心領域の選定に「加重値ベクトル」を用い，スペクトルのピークサイズを調節するのに「利得及びオフセットベクトル」を用い，これら加重値ベクトルと利得及びオフセットベクトルとを用いて「分解能ベクトル」を生成し，光スペクトルのサイズに復元することを「合成ベクトル」を用いて行っているように，ベクトルを用いた処理を行うものであり，「分解能ベクトル」，「利得及びオフセットベクトル」及び「合成ベクトル」の具体的な表示がそれぞれ【数１】，【数２】及び【数３】を用いてされているのに対し，引用発明ではベクトルを用いた処理は行われていない点。
　
（相違点３）本願補正発明は「分光成分の分析方法」であるのに対し，引用発明は「画像読み取り方法」である点。
　
２−４．判断
　上記各相違点について判断する。
　相違点１及び３について。
　引用例２には，摘記事項（ｅ）に，「分光光度計では・・・分光器透過光のエネルギーは波長によつて大きく変化し、この変化するエネルギーに対してほゞ一定の大きさの信号が得られるようにするため、・・・ホトダイオード等の増幅機能を持たない検出素子を用いたものでは、・・・増幅器の利得を何段かに切換えられるようにして、離散的に測光系の感度を切換える」ことが記載されているように，分光光度計において，透過光のエネルギーが波長によって大きく変化するために，増幅器の利得を切り換えることでほぼ一定の信号が得られるようにすることが記載されている。また，摘記事項（ｆ）に，「制御部１４は分光器３の波長走査を制御して波長を検知しており、所定波長位置で波長走査を停止してフィルター２の交換を行い、フィルター交換後のＡ／Ｄ変換器１１の出力即ち参照信号のデータ（Ｒとする）を読込み、Ｒが利得切換えの下限レベルＶｌより下にあれば利得を高い方に切換えＲが利得切換えの上限Ｖｈより上にあれば利得を低い方に切換え、その後波長走査を再開させる」と記載されるように，所定の波長位置で利得切り換えを行うことが示されており，この利得切り換えを行う所定の波長位置の間，すなわち波長帯域ごとに分割されて，利得切り換えが行われている。
　そして，このように利得切り換えが行われるのは，「変化するエネルギーに対してほゞ一定の大きさの信号が得られるようにするため」であり，このようにする必要があるのは，検出回路のダイナミックレンジを有効に活用するためであることは，当業者であれば当然理解し得たものである。
　してみると，引用例１に記載された発明において，スペクトルを複数に分割し，分割されたスペクトル中で当該スペクトルの分解能を増加させることを，波長によって変化するエネルギーに対して，波長帯域ごとに分割して利得切り換えを行うようにすることは，引用例２に示されるような技術的事項に基づいて，検出回路のダイナミックレンジを有効に活用するという共通する技術的課題に応じて，当業者であれば容易に為し得たものである。そして，そのようにして波長の情報を持つようなスペクトルを得ることで，分光成分の分析を行うとすることは，当業者であれば適宜に為し得たものである。
　
　相違点２について。
　上記相違点２について示した「加重値ベクトル」及び「利得及びオフセットベクトル」を用いることに関し，引用発明では上記対比の（エ）で示したように，ベクトルを用いずとも分解能を高める領域を選択し，利得及びオフセットを設定して信号を増幅することを行っている。また，「分解能ベクトル」に関して，本願補正発明の【数１】及び【数２】の表示を見ると，分解能ベクトルとは，スペクトルが任意の時間間隔で分割されたときの複数の分割領域のそれぞれを行列式で示す関心領域ベクトルと，利得及びオフセットベクトルとの関数積で表されるものであり，これについて引用発明では上記対比の（エ）で示したように，ベクトルを用いずとも分割したスペクトルに対し，利得及びオフセットを設定して信号を増幅することを行っている。さらに，「合成ベクトル」に関して，本願補正発明の【数３】の表示を見ると，利得及びオフセットベクトルとの対比から，利得及びオフセットベクトルを用いた演算を，線形に元に戻すことを行うものであることは明らかであり，これについて引用発明では上記対比の（カ）で示したように，ベクトルを用いずともゲインを選択切替したことによる信号値の変化を元に戻すことを行っている。
　これらのように，相違点２は，引用発明において行っている信号の処理を，ベクトル演算で行うか否かに尽きると言えることは，当業者には明らかである。そして，引用発明においては，ゲインを選択切替されるそれぞれの分割されたスペクトル領域について信号処理が行われているが，このような処理をまとめて，分割されたスペクトル領域に対して，ベクトル演算によって行うことは，当業者における通常の知識の範囲内で行い得たものであり，特段困難なものと言うことはできない。また，本願補正発明に示される具体的なベクトルの表示も，引用発明をベクトル表現とすることにより，当業者であれば容易に想到し得た程度のものである。
　
　そして，本願補正発明の作用効果は，引用発明及び引用例２に示された技術的事項から，当業者であれば予測できる範囲のものである。
　
　以上の通り，本願補正発明は，引用発明及び引用例２に示された技術的事項に基づいて，当業者が容易に発明をすることができたものであるから，特許法２９条２項の規定により特許を受けることができない。
　
２−５．むすび
　上記のとおり，本件補正は，平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
３−１．本願発明
　平成１９年３月１５日付けの手続補正は上記のとおり却下されたので，本願の請求項１に係る発明（以下，「本願発明」という。）は，平成１８年１０月３１日付け手続補正書の請求項１に記載された事項により特定される，上記２−１．に記載のとおりのものである。
　
３−２．引用例
　原査定の拒絶の理由に引用された引用例１及びその記載事項は，上記２−２−１．に記載したとおりである。
　
３−３．対比・判断
　本願発明は，上記２．で検討した本願補正発明において，「前記検出されたスペクトルを任意の時間間隔で
複数の波長帯域に
複数の波長帯域に
波長帯域である
　そうすると，上記「２−３．対比」で示した点を鑑み，本願発明は，引用発明と，上記相違点２及び３と同様の点のみで相違し，その他の点では一致する。
　相違点２については，上記「２−４．判断」で示したのと同様である。
　相違点３について，本願発明では，上記「２−３．対比（イ）」で示したように，光検出器によって検出される信号の時間的変化をスペクトルと称しているものであるから，本願発明の「分光成分の分析方法」とは，そのような信号の時間的変化を分析する方法と解するのが自然である。ところで，本願発明では「分光成分の分析方法」としていながら，具体的にどのような分析を行うのかについては明らかでなく，検出したスペクトルをどのように処理するかが示されるのみである。一方，引用例１には，摘記事項（ａ）に「本発明は画像媒体の画像ディジタル化装置などに好適な画像読取装置に関する」，「Ｘ線フィルムや画像蓄積板などの画像媒体上の画像を、拡散光濃度方式や平行光濃度方式などの濃度測定方式により読取る」と記載されており，読み取った後どのような処理を行うかについて明記されてはいないが，「Ｘ線フィルムや画像蓄積板などの画像媒体上の画像」を読み取って，後の分析に利用することは，当業者であれば通常行い得たものである。してみると，引用発明の「画像読み取り方法」を，分析に適用し，分光成分の分析方法とすることは，当業者であれば適宜為し得た程度のものである。
　
３−４．むすび
　以上のとおり，本願発明は，引用発明に基づいて，当業者が容易に発明をすることができたものであるから，特許法第２９条２項の規定により特許を受けることができない。
　
　したがって、その余の請求項に係る発明について審理するまでもなく、本件出願は拒絶されるべきものである。
　
　よって，結論のとおり審決する。